(57)【要約】【課題】インシュレータ部材を容易に装着することができるインシュレータの組付方法を提供する。【解決手段】ティース部７を有し互いの回動が許容された複数の分割コア部材１１に、分割コア部材１１の軸方向一端面を覆うための軸方向一端面被覆部と軸方向一端面被覆部から軸方向に延びて分割コア部材１１におけるスロット内側面を覆うための一対のスロット内側面被覆部（環状部内側面被覆部２１ｄ，２２ｄ、ティース部内側面被覆部２１ｅ，２２ｅ、延設部内側面被覆部２１ｆ，２２ｆ）とを有し互いに回動可能に連結された第１及び第２のインシュレータ部材２１，２２を装着するインシュレータの組付方法であって、一対のスロット内側面被覆部を挿入治具３１及び受け治具３２にてスロット中心Ｘ側に弾性変形させる変形工程と、弾性変形させた状態の一対のスロット内側面被覆部の間に分割コア部材１１を挿入する挿入工程とを備える。【選択図】      図１１
2006166597.tif 000002
【特許請求の範囲】
【請求項１】
放射状に延びるように配置されるティース部を有し互いの回動が許容された複数の分割コア部材に、該分割コア部材の軸方向一端面を覆うための軸方向一端面被覆部と該軸方向一端面被覆部から軸方向に延びて前記分割コア部材におけるスロット内側面を覆うための一対のスロット内側面被覆部とを有し互いに回動可能に連結された複数のインシュレータ部材を装着するインシュレータの組付方法であって、
一対の前記スロット内側面被覆部を変形用治具にてスロット中心側に弾性変形させる変形工程と、
前記変形工程の後、弾性変形させた状態の一対の前記スロット内側面被覆部の間に前記分割コア部材を挿入する挿入工程と
を備えたことを特徴とするインシュレータの組付方法。
【請求項２】
請求項１に記載のインシュレータの組付方法において、
前記変形用治具は、前記ティース部の延びる方向に沿って延びる挿入部を含み、その挿入部には基端側に向かうほど幅が大きくされた拡幅部が形成されたものであって、
前記変形工程は、前記変形用治具の前記挿入部を一対の前記スロット内側面被覆部の間に軸直交方向から挿入することで、一対の前記スロット内側面被覆部の間隔が広がるように弾性変形させることを特徴とするインシュレータの組付方法。
【請求項３】
請求項２に記載のインシュレータの組付方法において、
前記変形用治具における前記挿入部は、所定間隔毎に配置されるとともにそれらの基端部が一直線状の治具連結部によって連結されてなるものであって、
前記変形工程は、各前記挿入部を各一対の前記スロット内側面被覆部の間に軸直交方向から同時に挿入することで、各一対の前記スロット内側面被覆部の間隔が広がるように同時に弾性変形させることを特徴とするインシュレータの組付方法。
【請求項４】
請求項３に記載のインシュレータの組付方法において、
前記変形用治具は、前記治具連結部に対向して配置される受け治具を含むものであって、
前記変形工程は、前記治具連結部と前記受け治具にて前記スロット内側面被覆部を前記ティース部の延びる方向に対応した方向から挟持することを特徴とするインシュレータの組付方法。
【請求項５】
請求項４に記載のインシュレータの組付方法において、
前記変形工程は、前記治具連結部と前記受け治具にて前記スロット内側面被覆部を前記ティース部の延びる方向に対応した方向から挟持し、更に弾性変形させることを特徴とするインシュレータの組付方法。
【発明の詳細な説明】
【技術分野】
【０００１】
本発明は、ティース部を被覆し巻装される巻線との絶縁を図るためのインシュレータの組付方法に関するものである。
【背景技術】
【０００２】
従来、ブラシレスモータ等におけるステータは、コア（ステータコア）の放射状に設けられるティース部にインシュレータ部材を介して巻線が巻回されてなる。そして、このようなステータとしては、コアのティース部が周方向に隣り合うティース部と離間可能に構成され、各ティース部に対応した複数のインシュレータ部材が互いに回動可能に連結されたものがある（例えば、特許文献１参照）。尚、各インシュレータ部材は、ティース部の軸方向一端面を覆うための軸方向一端面被覆部と該軸方向一端面被覆部から軸方向に延びて前記ティース部におけるスロット内側面を覆うための一対のスロット内側面被覆部とを有する。このような構成のものでは、ティース部にインシュレータ部材を装着し、ティース部（インシュレータ部材）を互いに回動させて周方向に隣り合うティース部と離間させた状態で巻線を巻装することで、周方向に隣り合うティース部が邪魔にならず、巻線を容易且つ高占積率で巻装することができる。
【特許文献１】特開２００３−１６４０８９号公報
【発明の開示】
【発明が解決しようとする課題】
【０００３】
ところで、上記のようなインシュレータ部材は、互いに回動可能に連結されており、コアの複数のティース部に対して同時に装着することになるが、その装着が困難であった。詳しくは、各インシュレータ部材の一対のスロット内側面被覆部間に各ティース部を軸方向から挿入する際に、各インシュレータ部材と各ティース部との位置決めをそれぞれ高精度にしないと、スロット内側面被覆部の先端にティース部が衝突してしまう虞があり、その位置決め等が困難であった。又、スロット内側面被覆部の先端に面取り等を施す（案内面を形成する）ことで、前記衝突を低減することが考えられるが、スロット内側面被覆部が肉薄であるため、その衝突低減効果が小さく、解決には至らない。
【０００４】
本発明は、上記問題を解決するためになされたものであって、その目的は、インシュレータ部材を容易に装着することができるインシュレータの組付方法を提供することにある。
【課題を解決するための手段】
【０００５】
請求項１に記載の発明は、放射状に延びるように配置されるティース部を有し互いの回動が許容された複数の分割コア部材に、該分割コア部材の軸方向一端面を覆うための軸方向一端面被覆部と該軸方向一端面被覆部から軸方向に延びて前記分割コア部材におけるスロット内側面を覆うための一対のスロット内側面被覆部とを有し互いに回動可能に連結された複数のインシュレータ部材を装着するインシュレータの組付方法であって、一対の前記スロット内側面被覆部を変形用治具にてスロット中心側に弾性変形させる変形工程と、前記変形工程の後、弾性変形させた状態の一対の前記スロット内側面被覆部の間に前記分割コア部材を挿入する挿入工程とを備えた。
【０００６】
請求項２に記載の発明は、請求項１に記載のインシュレータの組付方法において、前記変形用治具は、前記ティース部の延びる方向に沿って延びる挿入部を含み、その挿入部には基端側に向かうほど幅が大きくされた拡幅部が形成されたものであって、前記変形工程は、前記変形用治具の前記挿入部を一対の前記スロット内側面被覆部の間に軸直交方向から挿入することで、一対の前記スロット内側面被覆部の間隔が広がるように弾性変形させる。
【０００７】
請求項３に記載の発明は、請求項２に記載のインシュレータの組付方法において、前記変形用治具における前記挿入部は、所定間隔毎に配置されるとともにそれらの基端部が一直線状の治具連結部によって連結されてなるものであって、前記変形工程は、各前記挿入部を各一対の前記スロット内側面被覆部の間に軸直交方向から同時に挿入することで、各一対の前記スロット内側面被覆部の間隔が広がるように同時に弾性変形させる。
【０００８】
請求項４に記載の発明は、請求項３に記載のインシュレータの組付方法において、前記変形用治具は、前記治具連結部に対向して配置される受け治具を含むものであって、前記変形工程は、前記治具連結部と前記受け治具にて前記スロット内側面被覆部を前記ティース部の延びる方向に対応した方向から挟持する。
【０００９】
請求項５に記載の発明は、請求項４に記載のインシュレータの組付方法において、前記変形工程は、前記治具連結部と前記受け治具にて前記スロット内側面被覆部を前記ティース部の延びる方向に対応した方向から挟持し、更に弾性変形させる。
【００１０】
（作用）
請求項１に記載の発明によれば、変形工程では、変形用治具にてインシュレータ部材の一対のスロット内側面被覆部がスロット中心側に弾性変形される。そして、挿入工程では、弾性変形させた状態の一対のスロット内側面被覆部の間に分割コア部材が挿入される。よって、各インシュレータ部材と各分割コア部材（ティース部）との位置決めをそれぞれ高精度にしなくても、スロット内側面被覆部の先端にティース部を含む分割コア部材が衝突してしまうことが防止される。
【００１１】
請求項２に記載の発明によれば、変形用治具は、ティース部の延びる方向に沿って延びる挿入部を含み、その挿入部には基端側に向かうほど幅が大きくされた拡幅部が形成されたものである。そして、変形工程では、変形用治具の挿入部が一対のスロット内側面被覆部の間に軸直交方向から挿入されることで、一対のスロット内側面被覆部の間隔が広がるように弾性変形されるため、簡単な治具としながら容易に（多数の方向に治具を駆動させることなく）変形工程を行うことができる。
【００１２】
請求項３に記載の発明によれば、挿入部は、所定間隔毎に配置されるとともにそれらの基端部が一直線状の治具連結部によって連結されてなるものである。各挿入部が各一対のスロット内側面被覆部の間に軸直交方向から同時に挿入されることで、各一対のスロット内側面被覆部の間隔が広がるように同時に弾性変形されるため、簡単な治具としながら容易に変形工程を行うことができるとともに、変形工程の高速化を図ることができる。
【００１３】
請求項４に記載の発明によれば、変形用治具は、前記治具連結部に対向して配置される受け治具を含むものである。そして、変形工程では、治具連結部と受け治具にてスロット内側面被覆部がティース部の延びる方向に対応した方向から挟持される。よって、スロット内側面被覆部、即ちインシュレータ部材をティース部の延びる方向に対応した方向に安定して保持して挿入工程を行うことができる。
【００１４】
請求項５に記載の発明によれば、変形工程では、治具連結部と受け治具にてスロット内側面被覆部がティース部の延びる方向に対応した方向から挟持され、更に弾性変形されるため、簡単な治具で容易に（多数の方向に治具を駆動させることなく）変形工程を行うことができる。このようにすると、スロット内側面被覆部がティース部の延びる方向に対応した方向に圧縮されるように（スロットの中心側に）弾性変形されるため、ティース部の基端部や先端部に径方向に突出する部分（分割環状部や周方向延設部）があっても、その部分がスロット内側面被覆部の先端に衝突してしまうことが防止される。
【発明の効果】
【００１５】
本発明によれば、インシュレータ部材を容易に装着することができるインシュレータの組付方法を提供することができる。
【発明を実施するための最良の形態】
【００１６】
以下、本発明を具体化した一実施の形態を図１〜図１２に従って説明する。図１に示すように、回転電機としてのブラシレスモータは、ステータ１と、ステータ１と対向配置されるマグネット（図示略）を有しステータ１の内側に収容されるロータ２（図中、一点鎖線で示す）とを備える。ステータ１は、略円筒状のハウジング３内に配設され、インシュレータ４を介して巻線５が巻装されたステータコア６を備える。
【００１７】
ステータコア６は、放射状に配置され巻線５が巻装される複数のティース部７と、その各ティース部７の径方向外側端部を連結し前記ハウジング３の内周に固定される環状部８とを備える。尚、本実施の形態では、ティース部７は、等角度（３０度）間隔に１２個形成されている。
【００１８】
詳しくは、ステータコア６は、図２に示すように、それぞれティース部７を有し互いの回動が許容された複数（１２個であって、図２中、４個のみ図示する）の分割コア部材１１から構成されている。分割コア部材１１は、前記環状部８を周方向に（ティース部７毎に）分割した形状の分割環状部１２と、その分割環状部１２の中間部から（環状にされた状態で径方向内側に）延びる前記ティース部７と、そのティース部７の先端から分割環状部１２と略平行方向（環状にされた状態で周方向）に延びる周方向延設部１３とを備える。そして、分割コア部材１１は、互いの分割環状部１２の端部で当接され、その端部を中心に回動が許容されている。尚、本実施の形態では、分割環状部１２の端部が、軸方向から見て円弧形状の凸部と円弧形状の凹部が軸方向に交互に（コアシート毎に）形成されており、隣り合う分割環状部１２の端部のそれらと嵌り合う（凸部同士が積層される）ように配設され、それらの円弧形状によって互いの回動が案内されるようになっている。
【００１９】
インシュレータ４は、図３〜図６に示すように、分割コア部材１１に対応した形状の第１及び第２インシュレータ部材２１，２２よりなる。第１及び第２インシュレータ部材２１，２２は、絶縁性を有する樹脂材よりなる。
【００２０】
第１及び第２インシュレータ部材２１，２２は、前記分割環状部１２の軸方向一端面を覆うための環状部一端面被覆部２１ａ，２２ａと、前記ティース部７の軸方向一端面を覆うためのティース部一端面被覆部２１ｂ，２２ｂと、前記周方向延設部１３の軸方向一端面を覆うための延設部一端面被覆部２１ｃ，２２ｃ（図４参照）とを有する。尚、本実施の形態では、環状部一端面被覆部２１ａ，２２ａと、ティース部一端面被覆部２１ｂ，２２ｂと、延設部一端面被覆部２１ｃ，２２ｃとが、分割コア部材１１の軸方向一端面を覆うための軸方向一端面被覆部を構成している。
【００２１】
又、第１及び第２インシュレータ部材２１，２２は、環状部一端面被覆部２１ａ，２２ａから軸方向に延びて前記分割環状部１２におけるスロット内側面を覆うための環状部内側面被覆部２１ｄ，２２ｄを有する。又、第１及び第２インシュレータ部材２１，２２は、ティース部一端面被覆部２１ｂ，２２ｂから軸方向に延びて前記ティース部７におけるスロット内側面を覆うためのティース部内側面被覆部２１ｅ，２２ｅを有する。又、第１及び第２インシュレータ部材２１，２２は、延設部一端面被覆部２１ｃ，２２ｃから軸方向に延びて前記周方向延設部１３におけるスロット内側面を覆うための延設部内側面被覆部２１ｆ，２２ｆを有する。尚、本実施の形態では、それぞれ一対の環状部内側面被覆部２１ｄ，２２ｄと、ティース部内側面被覆部２１ｅ，２２ｅと、延設部内側面被覆部２１ｆ，２２ｆとが分割コア部材１１におけるスロット内側面を覆うための一対のスロット内側面被覆部を構成している。
【００２２】
又、図３及び図４に示すように、第１インシュレータ部材２１における前記分割環状部１２の両端部（周方向両端部）と対応した部分であって、前記環状部一端面被覆部２１ａの両端部（周方向両端部）には、軸方向に延びる挿入凸部２１ｇが形成されている。この挿入凸部２１ｇには、その先端に軸直交方向に延びる鉤状突出部２１ｈが形成されている。
【００２３】
又、図５及び図６に示すように、第２インシュレータ部材２２における前記分割環状部１２の両端部（周方向両端部）と対応した部分であって、前記環状部一端面被覆部２２ａの両端部（周方向両端部）には、軸方向に延びる挿入孔２２ｇが形成されている。この挿入孔２２ｇには、軸直交方向に延びる鉤状切り欠き部２２ｈが形成されている。
【００２４】
即ち、鉤状突出部２１ｈと鉤状切り欠き部２２ｈは、第１インシュレータ部材２１と第２インシュレータ部材２２とが所定の回動角度（図７参照）でのみ一致して挿入凸部２１ｇを挿入孔２２ｇに挿入可能とし、且つ前記所定の回動角度以外（図１参照）で挿入凸部２１ｇを挿入孔２２ｇに対して挿抜不能とするように形成されている。そして、合わせて１２個（６個ずつ）の第１インシュレータ部材２１と第２インシュレータ部材２２とは、図７に示すように、前記所定の角度で挿入凸部２１ｇが挿入孔２２ｇに挿入されることで、それぞれ回動可能に連結される。尚、合わせて１２個（６個ずつ）の第１及び第２インシュレータ部材２１，２２の両端部（全体の両端部の第１及び第２インシュレータ部材２１，２２における端部）には、前記挿入凸部２１ｇ及び前記挿入孔２２ｇが形成されていないが、挿入凸部２１ｇ及び挿入孔２２ｇ以外の部分については同様の符号を付している。
【００２５】
上記のように構成された第１及び第２インシュレータ部材２１，２２（インシュレータ４）は、それぞれ分割コア部材１１に装着されることで、該分割コア部材１１を被覆するとともに隣り合う分割コア部材１１同士を回動可能に連結する。そして、各ティース部７（その間のスロット）には第１又は第２インシュレータ部材２１，２２を介して巻線５（図１参照）が巻装される。
【００２６】
次に、上記のように構成されるインシュレータ４の組付方法を含むステータ１の製造方法及びインシュレータの組付装置について説明する。
インシュレータの組付装置は、図８に示すように、一対のスロット内側面被覆部（環状部内側面被覆部２１ｄ，２２ｄ、ティース部内側面被覆部２１ｅ，２２ｅ、延設部内側面被覆部２１ｆ，２２ｆ）を軸方向から見たスロット中心Ｘ（図１、図９及び図１１参照）側に弾性変形させるための挿入治具３１及び受け治具３２を備える。尚、本実施の形態では、挿入治具３１及び受け治具３２が変形用治具を構成している。
【００２７】
挿入治具３１は、ティース部７の延びる方向（図９中、下方向）に沿って延びる挿入部３１ａを含み、その挿入部３１ａには基端側に向かうほど幅が大きくされた拡幅部３１ｂが形成されている。又、本実施の形態の挿入部３１ａの先端部には先端に向かうほど断面積が小さくされるテーパ部が形成されている。そして、挿入部３１ａは、図８に示すように所定間隔毎に配置されるとともにそれらの基端部が一直線状の治具連結部３１ｃによって連結されている。
【００２８】
受け治具３２は、治具連結部３１ｃと同様に一直線状に形成され、治具連結部３１ｃに対向して（挿入部３１ａの突出方向に）配置されている。この受け治具３２には、前記挿入部３１ａの先端側が嵌入可能な嵌入孔３２ａが形成されている。そして、挿入治具３１と受け治具３２とは、互いに近接又は離間する方向に相対移動可能に設けられ、図示しない駆動源にて駆動されて相対移動されるようになっている。
【００２９】
そして、まず、図８に示すように、挿入治具３１と受け治具３２との間に、インシュレータ４、即ち、第１及び第２インシュレータ部材２１，２２が交互に連結されたものを配置する。尚、この際、第１及び第２インシュレータ部材２１，２２の回動角度は、それら全てが一直線状に並ぶように設定される。
【００３０】
次に、変形工程において、一対のスロット内側面被覆部（環状部内側面被覆部２１ｄ，２２ｄ、ティース部内側面被覆部２１ｅ，２２ｅ、延設部内側面被覆部２１ｆ，２２ｆ）を挿入治具３１及び受け治具３２にて軸方向から見たスロット中心Ｘ（図１、図９及び図１１参照）側に弾性変形させる。
【００３１】
詳しくは、挿入治具３１及び受け治具３２を互いに近接する方向に相対移動させ、図９に示すように、前記挿入部３１ａを一対のスロット内側面被覆部（特に、ティース部内側面被覆部２１ｅ，２２ｅ）の間に軸直交方向（図９中、上方）から挿入する。そして、挿入部３１ａをその基端部まで挿入していくと、拡幅部３１ｂにより一対のティース部内側面被覆部２１ｅ，２２ｅに互いの間隔を広げる力が働き、一対のティース部内側面被覆部２１ｅ，２２ｅの間隔が広がるように弾性変形される（図１０及び図１１参照）。又、このとき、治具連結部３１ｃと受け治具３２にてスロット内側面被覆部の環状部内側面被覆部２１ｄ，２２ｄ及び延設部内側面被覆部２１ｆ，２２ｆがティース部７の延びる方向（図９及び図１１中、上下方向）に対応した方向から挟持されるようにする。更に、本実施の形態では、このとき、治具連結部３１ｃと受け治具３２にてスロット内側面被覆部の環状部内側面被覆部２１ｄ，２２ｄ及び延設部内側面被覆部２１ｆ，２２ｆがスロット中心Ｘ（図１、図９及び図１１参照）側に弾性変形されるようにする。又、勿論、本実施の形態では、各挿入部３１ａを各一対のスロット内側面被覆部（特に、ティース部内側面被覆部２１ｅ，２２ｅ）の間に同時に挿入することで各一対のスロット内側面被覆部（環状部内側面被覆部２１ｄ，２２ｄ、ティース部内側面被覆部２１ｅ，２２ｅ、延設部内側面被覆部２１ｆ，２２ｆ）を同時に弾性変形させる。尚、挿入部３１ａを挿入する軸方向位置は、スロット内側面被覆部（環状部内側面被覆部２１ｄ，２２ｄ、ティース部内側面被覆部２１ｅ，２２ｅ、延設部内側面被覆部２１ｆ，２２ｆ）の先端以外であって、本実施の形態では、スロット内側面被覆部の軸方向中間部に設定されている。又、挿入部３１ａを一対のスロット内側面被覆部（特に、ティース部内側面被覆部２１ｅ，２２ｅ）の間に挿入していく際には、その挿入部３１ａの先端側を前記嵌入孔３２ａに嵌入させる。
【００３２】
次に、挿入工程において、弾性変形させた状態の一対のスロット内側面被覆部（特にティース部内側面被覆部２１ｅ，２２ｅ）の間に分割コア部材１１（特にティース部７）を挿入する。
【００３３】
詳しくは、まず、インシュレータ４、即ち、第１及び第２インシュレータ部材２１，２２が交互に連結されたものの軸方向（スロット内側面被覆部の延びる方向）に、ステータコア６、即ち、複数の分割コア部材１１が当接（連結）されたものを配置する。そして、挿入治具３１と受け治具３２にて弾性変形された状態（図１１参照）のまま、押し込み部材３３（図１２参照）にて第１及び第２インシュレータ部材２１，２２を軸方向に相対移動させることで、一対のスロット内側面被覆部（特にティース部内側面被覆部２１ｅ，２２ｅ）の間に分割コア部材１１（特にティース部７）の軸方向一端側を挿入する。
【００３４】
そして、次に、挿入治具３１及び受け治具３２を互いに離間する方向に相対移動させて挿入部３１ａを抜き、更に、押し込み部材３３（図１２参照）にて第１及び第２インシュレータ部材２１，２２を軸方向に相対移動させることで、ティース部一端面被覆部２１ｂ，２２ｂと当接するまでティース部７を挿入する。このようにして、インシュレータ４（第１及び第２インシュレータ部材２１，２２）の組付が完了される。
【００３５】
次に、巻装工程において、そのままの状態、即ち、分割コア部材１１（第１及び第２インシュレータ部材２１，２２）を互いに回動させずティース部７を周方向に隣り合うティース部７と離間させた状態で巻線５（図１参照）を巻装する。よって、周方向に隣り合うティース部７が邪魔にならず、巻線５を容易且つ高占積率で巻装することができる。そして、その後、図１に示すように、分割環状部１２が環状となるように（環状部８を形成するように）、分割コア部材１１（第１及び第２インシュレータ部材２１，２２）を互いに回動させる。このようにして、ステータ１の製造が完了される。
【００３６】
次に、上記実施の形態の特徴的な作用効果を以下に記載する。
（１）変形工程では、挿入治具３１及び受け治具３２にて一対のスロット内側面被覆部（環状部内側面被覆部２１ｄ，２２ｄ、ティース部内側面被覆部２１ｅ，２２ｅ、延設部内側面被覆部２１ｆ，２２ｆ）が軸方向から見たスロット中心Ｘ（図１、図９及び図１１参照）側に弾性変形される。そして、挿入工程では、弾性変形させた状態の一対のスロット内側面被覆部（特にティース部内側面被覆部２１ｅ，２２ｅ）の間に分割コア部材１１（特にティース部７）が挿入される。よって、第１及び第２インシュレータ部材２１，２２と各分割コア部材１１との位置決めをそれぞれ高精度にしなくても、スロット内側面被覆部（環状部内側面被覆部２１ｄ，２２ｄ、ティース部内側面被覆部２１ｅ，２２ｅ、延設部内側面被覆部２１ｆ，２２ｆ）の先端にティース部７を含む分割コア部材１１が衝突してしまうことが防止される。これにより、インシュレータ４（第１及び第２インシュレータ部材２１，２２）を容易に装着することができる。
【００３７】
（２）挿入治具３１は、ティース部７の延びる方向（図９中、下方向）に沿って延びる挿入部３１ａを含み、その挿入部３１ａには基端側に向かうほど幅が大きくされた拡幅部３１ｂが形成されている。そして、変形工程では、挿入部３１ａが一対のスロット内側面被覆部（特に、ティース部内側面被覆部２１ｅ，２２ｅ）の間に軸直交方向（図９中、上方）から挿入されることで、一対のスロット内側面被覆部（特に、ティース部内側面被覆部２１ｅ，２２ｅ）の間隔が広がるように弾性変形される。よって、簡単な治具としながら容易に（多数の方向に治具を駆動させることなく）変形工程を行うことができる。
【００３８】
（３）挿入部３１ａは、所定間隔毎に配置されるとともにそれらの基端部が一直線状の治具連結部３１ｃによって連結されている。そして、各挿入部３１ａが各一対のスロット内側面被覆部（特に、ティース部内側面被覆部２１ｅ，２２ｅ）の間に軸直交方向から同時に挿入されることで、各一対のスロット内側面被覆部（特に、ティース部内側面被覆部２１ｅ，２２ｅ）の間隔が広がるように同時に弾性変形される。よって、簡単な治具としながら容易に変形工程を行うことができるとともに、変形工程の高速化を図ることができる。
【００３９】
（４）受け治具３２は、前記治具連結部３１ｃに対向して配置される。そして、変形工程では、治具連結部３１ｃと受け治具３２にてスロット内側面被覆部の環状部内側面被覆部２１ｄ，２２ｄ及び延設部内側面被覆部２１ｆ，２２ｆがティース部７の延びる方向（図９及び図１１中、上下方向）に対応した方向から挟持される。よって、スロット内側面被覆部、即ち第１及び第２インシュレータ部材２１，２２をティース部７の延びる方向に対応した方向に安定して保持して挿入工程を行うことができる。
【００４０】
（５）変形工程では、治具連結部３１ｃと受け治具３２にてスロット内側面被覆部の環状部内側面被覆部２１ｄ，２２ｄ及び延設部内側面被覆部２１ｆ，２２ｆがティース部７の延びる方向に対応した方向から挟持され、更に弾性変形されるため、簡単な治具で容易に（多数の方向に治具を駆動させることなく）変形工程を行うことができる。このようにすると、スロット内側面被覆部の環状部内側面被覆部２１ｄ，２２ｄ及び延設部内側面被覆部２１ｆ，２２ｆがティース部７の延びる方向に対応した方向に圧縮されるように（スロット中心Ｘ側に）弾性変形される。よって、分割コア部材１１の分割環状部１２や周方向延設部１３が環状部内側面被覆部２１ｄ，２２ｄ及び延設部内側面被覆部２１ｆ，２２ｆの先端に衝突してしまうことが防止される。
【００４１】
上記実施の形態は、以下のように変更して実施してもよい。
・上記実施の形態では、第１及び第２インシュレータ部材２１，２２は、軸方向一端面被覆部を構成する環状部一端面被覆部２１ａ，２２ａ、ティース部一端面被覆部２１ｂ，２２ｂ、及び延設部一端面被覆部２１ｃ，２２ｃを有するとしたが、少なくともティース部一端面被覆部２１ｂ，２２ｂを有していれば、他の形状に変更してもよい。
【００４２】
・上記実施の形態では、第１及び第２インシュレータ部材２１，２２は、スロット内側面被覆部を構成する環状部内側面被覆部２１ｄ，２２ｄ、ティース部内側面被覆部２１ｅ，２２ｅ、及び延設部内側面被覆部２１ｆ，２２ｆを有するとしたが、少なくともティース部内側面被覆部２１ｅ，２２ｅを有していれば、他の形状に変更してもよい。
【００４３】
・上記実施の形態では、挿入治具３１及び受け治具３２が変形用治具を構成するとしたが、変形用治具は、一対のスロット内側面被覆部（環状部内側面被覆部２１ｄ，２２ｄ、ティース部内側面被覆部２１ｅ，２２ｅ、及び延設部内側面被覆部２１ｆ，２２ｆ）をスロット中心Ｘ側に弾性変形させることができれば、他の治具に変更してもよい。
【００４４】
例えば、一対のティース部内側面被覆部２１ｅ，２２ｅに係止されてそれらを互いに引き離すように駆動される治具に変更してもよい。又、例えば、受け治具３２を備えず、固定された第１及び第２インシュレータ部材２１，２２に対して挿入部３１ａ（拡幅部３１ｂ）を挿入することのみで一対のティース部内側面被覆部２１ｅ，２２ｅの間隔を広げるのみの挿入治具３１を変形用治具としてもよい。
【００４５】
・上記実施の形態では、分割コア部材１１はティース部７、分割環状部１２及び周方向延設部１３を備えるとしたが、少なくともティース部７を有するものであれば、他の形状の（例えば、周方向延設部１３が形成されていない）分割コア部材に変更してもよい。
【００４６】
・上記実施の形態では、第１及び第２インシュレータ部材２１，２２は、挿入凸部２１ｇが挿入孔２２ｇに挿入されることでそれぞれ回動可能に連結されるとしたが、これに限定されず、薄肉部により回動可能に連結される一体成形された複数のインシュレータ部材に変更してもよい。
【００４７】
・上記実施の形態では、１２個の分割コア部材１１から構成されるステータコア６としたが、複数であれば、その他の個数の分割コア部材から構成されるステータコアに変更してもよい。尚、勿論、この場合、第１及び第２インシュレータ部材２１，２２の個数も変更する必要がある。
【００４８】
上記各実施の形態から把握できる技術的思想について、以下にその効果とともに記載する。
（イ）請求項１乃至５のいずれか１項に記載のインシュレータの組付方法と、その組付方法の後、前記ティース部を周方向に隣り合う前記ティース部と離間させた状態で巻線を巻装する巻装工程とを備えたことを特徴とするステータの製造方法。このようにすると、請求項１乃至５のいずれかに記載の発明の効果に加えて、巻線を容易且つ高占積率で巻装することができる。
【００４９】
（ロ）放射状に延びるように配置されるティース部を有し互いの回動が許容された複数の分割コア部材に、該分割コア部材の軸方向一端面を覆うための軸方向一端面被覆部と該軸方向一端面被覆部から軸方向に延びて前記分割コア部材におけるスロット内側面を覆うための一対のスロット内側面被覆部とを有し互いに回動可能に連結された複数のインシュレータ部材を装着するためのインシュレータの組付装置であって、一対の前記スロット内側面被覆部をスロット中心側に弾性変形させるための変形用治具を備えたことを特徴とするインシュレータの組付装置。このようにすると、変形用治具にてインシュレータ部材の一対のスロット内側面被覆部がスロット中心側に弾性変形される。よって、弾性変形させた状態の一対のスロット内側面被覆部の間に分割コア部材を挿入することで、各インシュレータ部材と各分割コア部材との位置決めをそれぞれ高精度にしなくても、スロット内側面被覆部の先端に分割コア部材が衝突してしまうことが防止される。
【００５０】
（ハ）上記（ロ）に記載のインシュレータの組付装置において、前記変形用治具は、前記ティース部の延びる方向に沿って延びる挿入部を含み、その挿入部には基端側に向かうほど幅が大きくされた拡幅部が形成されたことを特徴とするインシュレータの組付装置。このようにすると、変形用治具の挿入部を一対のスロット内側面被覆部の間に軸直交方向から挿入することで、一対のスロット内側面被覆部の間隔が広がるように弾性変形されるため、簡単な治具としながら容易に（多数の方向に治具を駆動させることなく）一対のスロット内側面被覆部の間隔を広げることができる。
【００５１】
（ニ）上記（ハ）に記載のインシュレータの組付装置において、前記変形用治具における前記挿入部は、所定間隔毎に配置されるとともにそれらの基端部が一直線状の治具連結部によって連結されてなることを特徴とするインシュレータの組付装置。このようにすると、変形用治具の各挿入部を各一対のスロット内側面被覆部の間に軸直交方向から同時に挿入することで、各一対のスロット内側面被覆部の間隔が広がるように同時に弾性変形されるため、簡単な治具としながら容易に（多数の方向に治具を駆動させることなく）且つ高速で各一対のスロット内側面被覆部の間隔を広げることができる。
【００５２】
（ホ）上記（ニ）に記載のインシュレータの組付装置において、前記変形用治具は、前記治具連結部に対向して配置される受け治具を含むことを特徴とするインシュレータの組付装置。このようにすると、治具連結部と受け治具にてスロット内側面被覆部をティース部の延びる方向に対応した方向から挟持することができる。よって、スロット内側面被覆部、即ちインシュレータ部材をティース部の延びる方向に対応した方向に安定して保持して弾性変形させた状態の一対のスロット内側面被覆部の間に分割コア部材を挿入することができる。又、治具連結部と受け治具にてスロット内側面被覆部をティース部の延びる方向に対応した方向から挟持し、更に弾性変形させることができる。このようにすると、簡単な治具で容易に（多数の方向に治具を駆動させることなく）、スロット内側面被覆部がティース部の延びる方向に対応した方向に圧縮されるように（スロットの中心側に）弾性変形させることができる。よって、ティース部の基端部や先端部に径方向に突出する部分（分割環状部や周方向延設部）があっても、その部分がスロット内側面被覆部の先端に衝突してしまうことを防止することができる。
【図面の簡単な説明】
【００５３】
【図１】本実施の形態のブラシレスモータの要部断面図。
【図２】本実施の形態のステータコアを展開した場合の平面図。
【図３】本実施の形態の第１インシュレータ部材の斜視図。
【図４】本実施の形態の第１インシュレータ部材の平面図。
【図５】本実施の形態の第２インシュレータ部材の斜視図。
【図６】本実施の形態の第２インシュレータ部材の平面図。
【図７】本実施の形態のインシュレータを説明するための平面図。
【図８】本実施の形態のインシュレータの組付方法を説明するための説明図。
【図９】本実施の形態のインシュレータの組付方法を説明するための説明図。
【図１０】本実施の形態のインシュレータの組付方法を説明するための説明図。
【図１１】本実施の形態のインシュレータの組付方法を説明するための説明図。
【図１２】本実施の形態のインシュレータの組付方法を説明するための説明図。
【符号の説明】
【００５４】
７…ティース部、１１…分割コア部材、２１，２２…第１及び第２インシュレータ部材、２１ａ，２２ａ…軸方向一端面被覆部の一部を構成する環状部一端面被覆部、２１ｂ，２２ｂ…軸方向一端面被覆部の一部を構成するティース部一端面被覆部、２１ｃ，２２ｃ…軸方向一端面被覆部の一部を構成する延設部一端面被覆部、２１ｄ，２２ｄ…スロット内側面被覆部の一部を構成する環状部内側面被覆部、２１ｅ，２２ｅ…スロット内側面被覆部の一部を構成するティース部内側面被覆部、２１ｆ，２２ｆ…スロット内側面被覆部の一部を構成する延設部内側面被覆部、３１…変形用治具の一部を構成する挿入治具、３１ａ…挿入部、３１ｂ…拡幅部、３１ｃ…治具連結部、３２…変形用治具の一部を構成する受け治具、Ｘ…スロット中心。
【図１】
2006166597.tif 000003
【図２】
2006166597.tif 000004
【図３】
2006166597.tif 000005
【図４】
2006166597.tif 000006
【図５】
2006166597.tif 000007
【図６】
2006166597.tif 000008
【図７】
2006166597.tif 000009
【図８】
2006166597.tif 000010
【図９】
2006166597.tif 000011
【図１０】
2006166597.tif 000012
【図１１】
2006166597.tif 000013
【図１２】
2006166597.tif 000014